(57)【要約】【課題】ボルトやネジ等の締結手段を用いることなく、ベースプレート２０にスライドプレート３０を組み付けることができ、製造コストを大きく低減できるスライド式播種器１０を提供すること。【解決手段】第１ストッパ片２３の水平面２３ｂと第１当接片３５の水平面３５ｂとの係合及び第３ストッパ片２５の水平面２５ｂと第３当接片３７の水平面３７ｂとの係合によりスライドプレート３０を左右方向にスライド可能にベースプレート２０に組み付けるるとともに、ベースプレート２０からの脱落を防止する。ボルトやネジ等の締結手段を用いることなく、第２ストッパ片３６の水平面３６ｂを上方へ折り曲げることによりスライドプレート３０をベースプレート２０に対して脱着する。部品点数を少なくでき、スライドプレート３０とベースプレート２０の組み付け作業が容易になり、製造コストの低減が可能となる。【選択図】図１
2010154816.tif 000002
【特許請求の範囲】
【請求項１】
略矩形のベースプレートと、ベースプレート上に左右方向へスライド可能に組み付けた略矩形のスライドプレートを備え、ベースプレートの複数箇所に下側種子通過孔を形成し、スライドプレートの複数個所に上側種子通過孔を形成し、スライドプレートを上側種子通過孔が下側種子通過孔と整列する開放位置と上側種子通過孔がベースプレートで塞がれる閉鎖位置との間でスライドさせ、スライドプレートが閉鎖位置にあるとき上側種子通過孔に所定個数の種子を収納し、次いで、スライドプレートを開放位置にスライドさせることにより上側種子通過孔に収納された所定個数の種子を下側種子通過孔を通して落下させるようにしたスライド式播種器であって、
ベースプレートに前後一対の摺接面を形成し、スライドプレートに摺接面に摺接してスライドプレートを左右方向へスライド可能にガイドする前後一対の被摺接面を形成し、
ベースプレートの左右いずれかの一方の側縁に直立面と直立面の上端からベースプレートの内側へ直角に折れ曲がる水平面からなる断面「形の第１ストッパ片を設け、ベースプレートの左右いずれか他方の側縁に直立面からなる第２ストッパ片と、直立面及び直立面の上端からベースプレートの内側へ直角に折れ曲がる水平面からなる断面逆「形の第３ストッパ片を設け、
スライドプレートの左右いずれか一方の側縁に第１ストッパ片の直立面に先端が当接してスライドプレートを閉鎖位置若しくは開放位置のいずれか一方の位置に位置決めするとともに第１ストッパ片の水平面の下面に左右方向へ摺動可能に係合する第１当接片を形成し、
スライドプレートの左右いずれか他方の側縁に第２ストッパ片に先端が当接してスライドプレートを閉鎖位置若しくは開放位置のいずれか他方の位置に位置決めする第２当接片と、第３ストッパ片の水平面の下面に左右方向へ摺動可能に係合する第３当接片を形成し、
前記第２当接片を上方へ折り曲げることにより第２当接片が第２ストッパ片を通過可能に構成し、第２当接片が第２ストッパ片を通過することにより、第１ストッパ片の水平面と第１当接片との係合が解除されるように構成したことを特徴とするスライド式播種器。
【請求項２】
前記スライドプレートに前記上側種子通過孔を底部中心とするすり鉢状に窪んだ種子集積部を形成したことを特徴とする請求項１に記載のスライド式播種器。
【請求項３】
前記スライドプレートの一側縁に直立面と直立面の上端からスライドプレートの内側に直角に折れ曲がる水平面からなる断面「形の種返し面を形成したことを特徴とする請求項１に記載のスライド式播種器。
【発明の詳細な説明】
【技術分野】
【０００１】
本発明はスライド式播種器に関する。
【背景技術】
【０００２】
播種器の一形式として、実開平７−１７００９号公報には、略矩形のベースプレートと、ベースプレート上に左右方向へスライド可能に組み付けた略矩形のスライドプレートを備えたスライド式播種器の構造が開示されている。
【０００３】
このスライド式播種器のベースプレートには複数箇所に下側種子通過孔が形成されている。一方、スライド式播種器のスライドプレートには複数箇所に面取りを施した上側種子通過孔が形成されている。
【０００４】
このスライド式播種器を使って播種するには、スライドプレートを上側種子通過孔が下側種子通過孔と整列する開放位置と、上側種子通過孔がベースプレートで塞がれる閉鎖位置との間でスライドさせる。
【０００５】
そして、スライドプレートが閉鎖位置にあるとき播種器を傾けたり揺さぶって、スライドプレート上に散在する多数の種子を上側種子通過孔に所定個数例えば１個の種子を収納する。
【０００６】
次に、再び播種器を傾けて、上側種子通過孔の面取り部分にある余分な種子を上側種子通過孔から転出させる。そして、スライドプレートを開放位置にスライドさせることにより上側種子通過孔に収納された所定個数の種子を下側種子通過孔を通してポット中に落下させる。
【特許文献１】実開平７−１７００９号公報
【発明の開示】
【発明が解決しようとする課題】
【０００７】
上記した従来のスライド式播種器では、ベースプレートからスライドプレートが脱落しないように、ボルト、ナット、ネジ等の締結手段を用いてスライドプレートをベースプレートに組み付けている。そのため部品点数が多くなり、またボルト等の締結作業を要するので、製造コストが高くなる。
また、播種器を傾けたり、前後左右に揺さぶっても、簡単には上側種子通過孔に所定個数の種子を収納できず、収納作業に手間がかかる。
【０００８】
さらまた、播種器を傾けて上側種子通過孔から余分な種子を転出させると、多数の種子がスライドプレートの側縁に立設した直立面に沿って片寄せられて集まるが、このときこの直立面を越えてスライドプレートの外にこぼれ落ちてしまうおそれがある。
【０００９】
本発明はかかる問題点に鑑み、ボルトやネジ等の締結手段を用いることなく、ベースプレートにスライドプレートを組み付けることができ、製造コストを大きく低減できるスライド式播種器を提供することを目的とする。
また、上側種子通過孔に所定個数の種子を収納する作業を迅速に行えるスライド式播種器を提供することを目的とする。
さらにまた、播種器を傾けても多数の種子がスライドプレートからこぼれ落ち難く、使い勝手の良いスライド式播種器を提供することを目的とする。
【課題を解決するための手段】
【００１０】
本発明は、略矩形のベースプレートと、ベースプレート上に左右方向へスライド可能に組み付けた略矩形のスライドプレートを備え、ベースプレートの複数箇所に下側種子通過孔を形成し、スライドプレートの複数個所に上側種子通過孔を形成し、スライドプレートを上側種子通過孔が下側種子通過孔と整列する開放位置と上側種子通過孔がベースプレートで塞がれる閉鎖位置との間でスライドさせ、スライドプレートが閉鎖位置にあるとき上側種子通過孔に所定個数の種子を収納し、次いで、スライドプレートを開放位置にスライドさせることにより上側種子通過孔に収納された所定個数の種子を下側種子通過孔を通して落下させるようにしたスライド式播種器であって、
ベースプレートに前後一対の摺接面を形成し、スライドプレートに摺接面に摺接してスライドプレートを左右方向へスライド可能にガイドする前後一対の被摺接面を形成し、
ベースプレートの左右いずれかの一方の側縁に直立面と直立面の上端からベースプレートの内側へ直角に折れ曲がる水平面からなる断面「形の第１ストッパ片を設け、ベースプレートの左右いずれか他方の側縁に直立面からなる第２ストッパ片と、直立面及び直立面の上端からベースプレートの内側へ直角に折れ曲がる水平面からなる断面逆「形の第３ストッパ片を設け、
スライドプレートの左右いずれか一方の側縁に第１ストッパ片の直立面に先端が当接してスライドプレートを閉鎖位置若しくは開放位置のいずれか一方の位置に位置決めするとともに第１ストッパ片の水平面の下面に左右方向へ摺動可能に係合する第１当接片を形成し、
スライドプレートの左右いずれか他方の側縁に第２ストッパ片に先端が当接してスライドプレートを閉鎖位置若しくは開放位置のいずれか他方の位置に位置決めする第２当接片と、第３ストッパ片の水平面の下面に左右方向へ摺動可能に係合する第３当接片を形成し、
前記第２当接当接片を上方へ折り曲げることにより第２当接片が第２ストッパ片を通過可能に構成し、第２当接片が第２ストッパ片を通過することにより、第１ストッパ片の水平面と第１当接片との係合が解除されるように構成したことを特徴とする。
【００１１】
そして、好ましくは前記スライドプレートに前記上側種子通過孔を底部中心とするすり鉢状に窪んだ種子集積部を形成する。
さらにまた、好ましくは前記スライドプレートの一側縁に直立面と直立面の上端からスライドプレートの内側に直角に折れ曲がる水平面からなる断面「形の種返し面を形成する。
【発明の効果】
【００１２】
本発明によれば、第１ストッパ片に第１当接片を当接させることにより、スライドプレートを閉鎖位置又は開放位置のいずれか一方の位置決めできる。また、第２ストッパ片に第２当接片を当接させることによりスライドプレートを閉鎖位置又は開放位置のいずれか他方の位置に位置決めできる。
【００１３】
また、第１ストッパ片の水平面と第１当接片との係合及び第３ストッパ片の水平面と第３当接片との係合によりスライドプレートを左右方向にスライド可能にベースプレートに組み付けることができるとともに、ベースプレートからの脱落を防止できる。
【００１４】
さらにまた、ボルトやネジ等の締結手段を用いることなく、第２ストッパ片を上方へ折り曲げるだけでスライドプレートをベースプレートに対して脱着できるので、部品点数を少なくでき、スライドプレートとベースプレートの組み付け作業が容易になり、製造コストの低減が可能となる。
【００１５】
上側種子通過孔を底部中心とするすり鉢状に窪んだ種子集積部を形成することにより、播種器を傾けたり、前後左右に揺さぶったときすり鉢形状に案内されて種子が上側出種子通過孔に転入するので、種子を上側出通過孔に収納する作業が簡単迅速に行える。
また、断面「形の種返し面を設けることにより、播種器を傾けて多数の種子を種返し面側に片寄せて集めたとき、種返しの水平面によってスライドプレートからこぼれ落ちるのを防止でき、使い勝手が向上する。
【実施例１】
【００１６】
以下に本発明を図面に基づき説明するに、図１には本発明の一実施例に係るスライド式播種器１０が示されている。当該スライド式播種器１０はベースプレート２０とベースプレート２０に左右方向（矢印Ａ）へスライド可能に組み付けたスライドプレート３０から構成される。
【００１７】
ベースプレート２０はアルミ板又は鉄板を所要形状にプレス加工したもので、図２及び図３に示すように、平面形状が略矩形の本体２０Ａを有し、本体２０Ａの前後両側縁に摺接面２１が設けられている。各摺接面２１は本体側縁から上方へ直角に折れ曲がる直立面で構成されている。この本体２１Ａには所要寸法の下側種子通過孔２２が例えば縦６列横４列となるように複数箇所に形成されている。下側種子通過孔２２の直径は後述する上側種子通過孔の直径より大きいサイズに形成されている。
【００１８】
ベースプレート２０の左側縁には第１ストッパ片２３が設けられ、右側縁にはその前後両角に第２ストッパ片２４が設けられている。また、両第２ストッパ片２４の間に第３ストッパ片２５が設けられている。
【００１９】
第１ストッパ片２３は本体左側縁から直角に上方へ折れ曲がる直立面２３ａと、直立面の上端から直角に本体内側へ折れ曲がる水平面２３ｂからなる断面「形状に形成されている。
【００２０】
第２ストッパ片２４は本体右側縁の前後両角から直角に上方へ折れ曲がる直立面として形成されている。
【００２１】
第３ストッパ片２５は本体右側縁から直角に上方へ折れ曲がる直立面２５ａと、直立面２５ａの上端から本体内側へ直角に折れ曲がる水平面２５ｂからなる断面逆「形状に形成されている。
【００２２】
スライドプレート３０はアルミ又は鉄板を所要形状にプレス加工したもので、図４及び図５に示すように、平面形状が略矩形の本体３０Ａを有し、本体３０Ａの前側縁に沿って種返し面３１が設けられ、後側縁に沿って被摺接面３２が設けられている。種返し面３１は側縁から直角に上方へ折れ曲がる直立面３１ａと、直立面の上端から本体３０Ａ内側へ直角に折れ曲がる水平面３１ｂから成り、直立面３１ａは被摺接面としても機能する。
【００２３】
スライドプレート３０の本体３０Ａにはすり鉢状、すなわち逆円錐形に窪んだ種子集積部３３が例えば縦６列横４列となるように複数箇所に形成されている。そして、各種子集積部３３の底部中心に所要寸法の上側種子通過孔３４が１個ずつ形成されている。上側種子通過孔３４の直径は播種する種子の平均直径より若干大きく種子一個が通過できるサイズに形成されている。また、上側種子通過孔３４の縦列と横列のピッチはそれぞれベースプレート２０の下側種子通過孔２２の縦列と横列のピッチと同じに設定されている。すり鉢状の種子集積部３３の最大直径は上側種子通過孔３４の直径の少なくとも５倍以上に設定されている。
【００２４】
スライドプレート３０の左側縁には第１当接片３５が設けられ、右側縁にはその前後両角に第２当接片３６が設けられている。また、両第２当接片の間に第３当接片３７が設けられている。
【００２５】
第１当接片３５は本体右側縁から直角に上方へ折れ曲がる直立面３５ａと、直立面３５ａの上端から本体外側へ直角に折れ曲がる水平面３５ｂから成る逆「形に形成されている。
【００２６】
第２当接片３６は本体右側縁の前後両角から直角に上方へ折れ曲がる直立面３６ａと、直立面３６ａの上端から本体外側へ直角に折れ曲がる水平面３６ｂから成る「形に形成されている。
【００２７】
第３当接片３７は本体右側縁から上方へ折れ曲がる直立面３７ａと、直立面３７ａから本体外側へ直角に折れ曲がる水平面３７ｂから成る「形に形成され、第２当接片３６の水平面３６ｂの本体外側への突出寸法は第３当接片３７の水平面３７ｂの突出寸法より大きく設定されている。
【００２８】
ベースプレート２０およびスライドプレート３０の構造は以上の通りであって、両プレート２０，３０は以下の要領で組み付けらる。
図６に示し、また図５に２点鎖線で示すように、予めスライドプレート３０の第２当接片３６の水平面３６ｂを上方へ若干折り曲げておく。そして、摺接面２１に被摺接面３１ａ，３２を摺接させながら、スライドプレート３０の第３当接片３７の水平面３７ｂをベースプレート２０の第３ストッパ片２５の水平面２５ｂの内側へ潜り込ませる。このとき第２当接片の水平面３６ｂは上方へ折り曲げられているので、第２ストッパ片２４に当接せず、その上端を通過してベースプレート２０の外側に突出する。このため第３当接片３７の水平面３７ｂを第３ストッパ片２５の水平面２５ｂの内側に潜り込ませることができ、水平面３７ｂと水平面２５ｂが係合する。
【００２９】
第３当接片３７の水平面３７ｂを潜り込ませた状態でさらにスライドプレート３０を右方向へスライドさせると、図６に示すように第１当接片３５の水平面３５ｂを第１ストッパ片２３の水平面２３ｂの内側に潜り込ませることができるようになる。そこで、図７，８に示すようにスライドプレート３０を左方向へスライドさせ、ベースプレート２０の第１ストッパ片２３の水平面２３ｂにスライドプレート３０の第１当接片３５の水平面３５ｂを係合させる。
【００３０】
続いて、上方に折り曲げていた第２当接片３６の水平面３６ｂを水平に戻す。第２当接片３６の水平面３６ｂが水平に戻されると、スライドプレート３０は第２当接片の水平面３６ｂが第２ストッパ片２４に当接する位置が右側ストローク端となり、このとき図８に示すようにベースプレート２０の第１ストッパ片２３の水平面２３ｂとスライドプレート２０の第１当接片３５の水平面３５ｂとの係合が維持される。一方、スライドプレート３０は図７に示すように、第１ストッパ片の垂直面２３ａに第１当接片３５の水平面３５ｂが当接する位置が左側ストローク端となり、この位置でもベースプレート２０の水平面２５ｂとスライドプレート３０の水平面３７ｂの係合が維持される。この結果、スライドプレート３０はベースプレート２０に左右方向へスライド可能に組み付けられる。
なお、ベースプレート２０からスライドプレート３０を取り外すには、水平に戻した第２当接片３６の水平面３６ｂを再び上方へ折り曲げて、上述した手順の逆を行えばよい。
【００３１】
本実施例に係るスライド式播種器１０の構造は以上の通りであって、図７に示すようにスライドプレート３０を閉鎖位置、すなわち左ストローク端にスライドさせ、スライドプレート３０上に多数の種子をばら蒔き、播種器１０を上下に傾けたり、前後左右に揺さぶって、各種子集積部３３に複数個の種子を集積する。すると、集積部３３に集積された種子のうち１個が上側種子通過孔３４に収納される。
次に、播種器１０を傾けて、上側種子通過孔３４に収納された種子を除き、種子集積部３３の種子を種返し面３１へ片寄せて集める。そして、スライドプレート３０を図８に示す開放位置、すなわち右ストローク端にスライドさせる。上側種子通過孔３４と下側種子通過孔２２が整列し、上側種子通過孔３４に収納されていた１個の種子が両通過孔２２，３４からポット４０へ落下する。
【００３２】
本実施例に係るスライド式播種器１０によれば、第１ストッパ片２３の水平面２３ｂと第１当接片３５の水平面３５ｂとの係合及び第３ストッパ片２５の水平面２５ｂと第３当接片３７の水平面３７ｂとの係合によりスライドプレート３０を左右方向にスライド可能にベースプレート２０に組み付けることができるとともに、ベースプレート２０からの脱落を防止できる。
【００３３】
また、ボルトやネジ等の締結手段を用いることなく、第２ストッパ片３６の水平面３６ｂを上方へ折り曲げるだけでスライドプレート３０をベースプレート２０に対して脱着できるので、部品点数を少なくでき、スライドプレート３０とベースプレート２０の組み付け作業が容易になり、製造コストの低減が可能となる。
【００３４】
上側種子通過孔３４を底部中心とするすり鉢状に窪んだ種子集積部３３を形成したので、播種器１０を傾けたり、前後左右に揺さぶったときすり鉢形状に案内されて種子が上側出種子通過孔３４に転入する。このため、種子を上側出通過孔３４に収納する作業が簡単迅速に行える。
さらにまた、播種器１０を傾けて多数の種子を種返し面３１側に片寄せて集めたとき、種返し面３１の水平面３１ｂによってスライドプレート３０から種子がこぼれ落ちるのを防止でき、使い勝手が向上する。
なお、本実施例では第２当接片３６ｂを前後２箇所に設けたが、前後いずれか１箇所に設けるだけでも本実施例と同様の作用効果を奏することができる。
【図面の簡単な説明】
【００３５】
【図１】本発明の実施例に係るスライド式播種器を示す斜視図である。
【図２】同スライド式播種器のベースプレートを示す平面図である。
【図３】同スライド式播種器のベースプレートを示す側面図である。
【図４】同スライド式播種器のスライドプレートを示す平面図である。
【図５】同スライド式播種器のスライドプレートを示す側面図である。
【図６】同スライド式播種器の組立手順を示す説明図である。
【図７】閉鎖位置にある同スライド式播種器を示す断面図である。
【図８】開放位置にある同スライド式播種器を示す断面図である。
【符号の説明】
【００３６】
１０…スライド式播種器
２０…ベースプレート
２０Ａ…ベースプレート本体
２１…摺接面
２２…下側種子通過孔
２３…第１ストッパ片
２３ａ…垂直面
２３ｂ…水平面
２４…第２ストッパ片
２５…第３ストッパ片
２５ａ…垂直面
２５ｂ…水平面
３０…スライドプレート
３０Ａ…スライドプレート本体
３１…種返し面
３１ａ…被摺接面
３２…被摺接面
３３…種子集積部
３４…上側種子通過孔
３５…第１当接片
３５ａ…垂直面
３５ｂ…水平面
３６…第２当接片
３６ａ…垂直面
３６ｂ…水平面
３７…第３当接片
３７ａ…垂直面
３７ｂ…水平面
４０…ポット
【図１】
2010154816.tif 000003
【図２】
2010154816.tif 000004
【図３】
2010154816.tif 000005
【図４】
2010154816.tif 000006
【図５】
2010154816.tif 000007
【図６】
2010154816.tif 000008
【図７】
2010154816.tif 000009
【図８】
2010154816.tif 000010